(57)【要約】 【課題】  サブコネクタがこじられても、サブコネクタのフレームに対する係合力が不十分となることのないコネクタ装置を提供することを目的とする。【解決手段】  雌コネクタ１０のフレーム１１には、収容室１６を分割する壁部１７の前端部に一対のロック片１８が形成され、ロック片１８間には撓み空間１８ｂが形成されている。収容室１６内にサブコネクタ２０、３０が収容されると、サブコネクタ２０、３０のロック突部２７、３７がロック片１８とそれぞれ係合する。雄コネクタ４０のハウジング４１には、雌雄のコネクタ１０、４０が嵌合することにより撓み空間１８ｂ内に進入する規制片４７が設けられ、これによってサブコネクタ２０、３０がこじられても、ロック片１８が規制片４７に規制されて撓むことができず、サブコネクタ２０、３０とフレーム１１との間の十分な係合力を維持する。【選択図】  図１１
2005071806.tif 000002
【特許請求の範囲】
【請求項１】
相互に嵌合可能な一対のコネクタの内、
一側は複数のサブコネクタを収容する収容室と、前記収容室内に配置され前記サブコネクタが収容される途上では撓み空間へ向けて撓み、前記サブコネクタが前記収容室内に正規に収容されると復帰して前記サブコネクタの外周部と係合するロック片とを有するフレームを備え、
他側は前記一側のコネクタとの嵌合時に前記撓み空間に進入することによって、前記ロック片が前記サブコネクタとの係合を解除する方向への撓み変形を規制可能な規制片が形成されているハウジングを備えていることを特徴とするコネクタ装置。
【請求項２】
前記ロック片は、前記収容室内に後方より突出することによって、前記複数のサブコネクタ間に互いに隣接して延在し、前記サブコネクタの外周部にそれぞれ形成されたロック突部と係合するように、前記フレームに一対に設けられ、前記撓み空間は前記一対のロック片の間に形成されたことを特徴とする請求項１記載のコネクタ装置。
【請求項３】
前記一対のロック片は、前記収容室内に設けられ、前記サブコネクタを互いに隔離する壁部の前端部に形成されたことを特徴とする請求項２記載のコネクタ装置。
【発明の詳細な説明】
【技術分野】
【０００１】
本発明は、複数のサブコネクタを収容するフレームと、フレームと嵌合する相手側コネクタとを備えたコネクタ装置に関する。
【背景技術】
【０００２】
それぞれ雄側端子を収容した複数のサブコネクタを嵌め込む雄側フレームと、雄側フレームと嵌合し、それぞれ雌側端子金具を収容した複数のサブコネクタを嵌め込む雌側フレームがあった（例えば、特許文献１参照）。これは、サブコネクタの外周面に形成された突部にフレームに形成されたロック片が係合して、フレームからサブコネクタが抜け止めされるものであった。しかしながら、上述した従来技術のものは、フレームに対してサブコネクタがこじられると、ロック片が撓んで互いの係合力が不十分となることがあった。
【特許文献１】特開２００２−２３１３７２公報（第１図）
【発明の開示】
【発明が解決しようとする課題】
【０００３】
本発明は上記のような事情に基づいて完成されたものであって、サブコネクタがこじられても、サブコネクタのフレームに対する係合力が不十分となることのないコネクタ装置を提供することを目的とする。
【課題を解決するための手段】
【０００４】
上述の目的を達成するための手段として、請求項１の発明は、相互に嵌合可能な一対のコネクタの内、一側は複数のサブコネクタを収容する収容室と、前記収容室内に配置され前記サブコネクタが収容される途上では撓み空間へ向けて撓み、前記サブコネクタが前記収容室内に正規に収容されると復帰して前記サブコネクタの外周部と係合するロック片とを有するフレームを備え、他側は前記一側のコネクタとの嵌合時に前記撓み空間に進入することによって、前記ロック片が前記サブコネクタとの係合を解除する方向への撓み変形を規制可能な規制片が形成されているハウジングを備えていることを特徴とするコネクタ装置とした。
【０００５】
請求項２の発明は、前記ロック片は、前記収容室内に後方より突出することによって、前記複数のサブコネクタ間に互いに隣接して延在し、前記サブコネクタの外周部にそれぞれ形成されたロック突部と係合するように、前記フレームに一対に設けられ、前記撓み空間は前記一対のロック片の間に形成されたことを特徴とする請求項１記載のコネクタ装置とした。
【０００６】
請求項３の発明は、前記一対のロック片は、前記収容室内に設けられ、前記サブコネクタを互いに隔離する壁部の前端部に形成されたことを特徴とする請求項２記載のコネクタ装置とした。
【発明の効果】
【０００７】
＜請求項１の発明＞
一対のコネクタの嵌合時に撓み空間に進入することによって、ロック片がサブコネクタとの係合を解除する方向への撓み変形を規制可能な規制片が、他側のコネクタに形成されたことにより、サブコネクタがこじられても、サブコネクタのフレームに対する係合力が不十分となることがない。
【０００８】
＜請求項２の発明＞
一対のロック片の間に撓み空間を形成したため、コネクタ内の少ない空間にもロック片を設けることができる。また、一対のロック片の撓みを規制する規制片を１つで賄うことができる。
【０００９】
＜請求項３の発明＞
一対のロック片を、収容室内のサブコネクタを互いに隔離する壁部の前端部に形成したことにより、特別に収容室内のスペースを費やすことなく、ロック片を複数のサブコネクタ間に隣接して形成できる。
【発明を実施するための最良の形態】
【００１０】
本発明の実施形態を図１乃至図１１によって説明する。図１〜図７に示した雌コネクタ１０（本発明の一側のコネクタに該当する）を構成するフレーム１１は合成樹脂材料によって形成され、左右の側面部１２、１２、上面部１３、底面部１４およびこれらの前方部にて連結した前面部１５を備え、その内部に収容室１６が形成されている。更に、収容室１６を２つの小収容室１６ａ、１６ｂに分割するように壁部１７が設けられている。壁部１７は収容室１６の中央よりも、図７においてやや左寄りに形成され、図７に示された小収容室１６ａの横幅よりも、小収容室１６ｂの横幅を大きく形成している。
【００１１】
フレーム１１の前面部１５には、相手側である雄側端子金具ＴＭのタブが挿通される複数のタブ挿通孔１５ａが形成されている。また、図１に示すように、側面部１２、１２には、それぞれ前方に行くにつれ小収容室１６ａ、１６ｂが狭まるように、段部１２ａ、１２ａが形成されており、底面部１４にも同様に、小収容室１６ａ、１６ｂ内にそれぞれ段部１４ａが形成されている（図２示）。更に、図１に２点鎖線にて示すように側面部１２には、段部１２ａよりも前方に、前後方向に延びる溝部１２ｂがそれぞれ形成されている。尚、上面部１３の上方には係合片１９が形成され、係合片１９は、後述する雄コネクタ４０と係合する抜止部１９ａと、係合を解除するための解除部１９ｂを備えている。
【００１２】
収容室１６内に形成され、後述するサブコネクタ２０、３０を互いに隔離する壁部１７の前端部には、一対のロック片１８が一体に形成されている。ロック片１８のそれぞれには係合部１８ａが突出していることにより、図１に示すように上方から見て対称に形成されている。また、一対のロック片１８の間には、それぞれのロック片１８が撓み可能なように、撓み空間１８ｂが形成されている。図６に示すように、フレーム１１の前面部１５には、ロック片１８を前方より見ることができるように、規制片挿入孔１５ｂが形成されている。規制片挿入孔１５ｂは、図に示すように、略十字形状をしている。
【００１３】
次に、図３〜図７および図９に基づいて、フレーム１１の小収容室１６ａ、１６ｂ内に収容されるサブコネクタ２０、３０について説明する。サブコネクタ２０、３０は、リテーナ付コネクタであって、図３および図４において、それぞれ実線にてリテーナ２２、３２がコネクタハウジング２１、３１に完全装着された状態を示し、２点鎖線にてリテーナ２２、３２がコネクタハウジング２１、３１に仮装着された状態を示している。サブコネクタ２０は上述したフレーム１１の小収容室１６ａ内に収容され、一方、サブコネクタ３０は上述したフレーム１１の小収容室１６ｂ内に収容されるもので、小収容室１６ａ、１６ｂの大きさに対応して、サブコネクタ３０がサブコネクタ２０に比べ、横寸法が大きく形成されている。尚、コネクタハウジング２１、３１およびリテーナ２２、３２はいずれも、合成樹脂材料によって形成されている。
【００１４】
図３において、サブコネクタ２０のリテーナ２２の側面には、右下から左上に延びるガイド孔２４ａと左上方部に水平に延びた係合孔２４ｂとが形成されている。一方、コネクタハウジング２１の側面には、リテーナ２２のガイド孔２４ａに対応して斜めに配置された第１ガイド突部２５ａおよび第２ガイド突部２５ｂと、係合孔２４ｂに対応して水平方向に係合突部２５ｃが形成されている。
【００１５】
サブコネクタ２０の複数のキャビティ２３内に、電線Ｗが接続される雌側端子金具ＴＦが収容された状態（図９示）で、リテーナ２２が図３において、コネクタハウジング２１の下方から係合し、ガイド孔２４ａにコネクタハウジング２１の第１ガイド突部２５ａおよび第２ガイド突部２５ｂが係合することによって、リテーナ２２は仮装着状態となる。その後、リテーナ２２が斜め左上方へ向けて移動することにより、第２ガイド突部２５ｂのガイド孔２４ａとの係合が外れるとともに、係合突部２５ｃが係合孔２４ｂと係合することにより、リテーナ２２はコネクタハウジング２１に完全装着され、雌側端子金具ＴＦのサブコネクタ２０からの抜け止めが行われる。
【００１６】
図３に示すように、コネクタハウジング２１の一方の側面部には、その前方部に係止突部２６が形成され、フレーム１１の小収容室１６ａ内に挿入する場合に、上述した溝部１２ｂと係合することで、サブコネクタ２０のガイドの機能を果たす（図５示）。また、コネクタハウジング２１の他方の側面部には、ロック片１８の係合部１８ａと係合するロック突部２７が形成されている。
【００１７】
ロック突部２７は前方が斜面２７ａに形成され、サブコネクタ２０を小収容室１６ａ内に収容する時に、ロック片１８の係合部１８ａがロック突部２７の斜面２７ａに乗り上げることにより、ロック片１８が撓み空間１８ｂ側へ撓む。サブコネクタ２０が小収容室１６ａ内に正規に収容されると、ロック片１８が形状復帰して、係合部１８ａがロック突部２７と係合することにより、サブコネクタ２０のフレーム１１からの抜け止めを行う。以上、サブコネクタ２０について説明したが、サブコネクタ３０についても同様であるので詳細な説明は省略する。一対のロック片１８は収容室１６内に後方より突出することによって、サブコネクタ２０、３０がフレーム１１内に収容された状態において、複数のサブコネクタ２０、３０間に互いに隣接して延在している。
【００１８】
次に、図８〜図１１に基づいて、雄コネクタ４０（本発明の他側のコネクタに該当する）について説明する。雄コネクタ４０は合成樹脂材料によって形成されたハウジング４１を備え、ハウジング４１の前端部には、雌コネクタ１０が嵌合するフード部４２が形成されている。また、フード部４２の後方には端子収容部４３が設けられ、端子収容部４３には、電線Ｗに接続される雄側端子金具ＴＭが収容される複数のキャビティ４４が形成されている。ハウジング４１には、上述したサブコネクタ２０、３０と同様にリテーナ５０が装着され、雄側端子金具ＴＭのハウジング４１からの抜け止めが図られる。
【００１９】
また、ハウジング４１の前端部には、上述した雌コネクタ１０の抜止部１９ａと係合して、雌雄のコネクタ１０、４０の外れを防止する係合突起４５が形成されている。更に、ハウジング４１の上面部、底面部および一側の側面部には、雄コネクタ４０を図示しない車輌のブラケットと係合する取付突部４６ａ、４６ｂ、４６ｃがそれぞれ形成されている。
【００２０】
図１０に示すように、端子収容部４３の前端部からは、フード部４２内に向けて規制片４７が立設されている。規制片４７は、雌雄のコネクタ１０、４０が互いに嵌合した時に、上述したロック片１８に対応する位置に形成されている。規制片４７はフレーム１１の規制片挿入孔１５ｂに対応するように、上下方向に縦長に形成され、略中央部の両側面には凹部４７ａが設けられることにより、ロック片１８の撓み空間１８ｂに挿入可能な規制部４７ｂが形成されている。
【００２１】
次に、上述した雌コネクタ１０および雄コネクタ４０によって構成されるコネクタ装置１の組付方法について説明する。まず、ハウジング４１に雄側端子金具ＴＭを収容した後、リテーナ５０を装着する。サブコネクタ２０、３０が収容された雌コネクタ１０を、前方より雄コネクタ４０のフード部４２に進入させていく。雌雄のコネクタ１０、４０の嵌合が進むと雌雄の端子金具ＴＦ、ＴＭが互いに嵌合するとともに、図１１に示すように、ハウジング４１に立設された規制片４７の規制部４７ｂが、フレーム１１の規制片挿入孔１５ｂを通ってロック片１８の間の撓み空間１８ｂ内に進入する。雌雄のコネクタ１０、４０の嵌合が更に進むと、ハウジング４１の係合突起４５がフレーム１１の抜止部１９ａと係合して嵌合が終了する。
【００２２】
雌雄のコネクタ１０、４０の嵌合が終了した状態で、サブコネクタ２０、３０は、それぞれロック突部２７、３７がロック片１８の係合部１８ａと係合してフレーム１１から抜け止めされている。この時、規制片４７の規制部４７ｂがロック片１８の撓み空間１８ｂ内に挿入されているため、各々のロック片１８は規制部４７ｂに規制されて、撓み空間１８ｂ内へ撓むことができなくなり、各々のロック突部２７、３７との係合が解除されない。この状態で仮にサブコネクタ２０、３０がこじられてもフレーム１１から抜けることがなく、十分な係合力が維持される。
【００２３】
本実施形態においては、一対のロック片１８の間に撓み空間１８ｂを形成したため、雌コネクタ１０内の少ない空間にもロック片１８を設けることができる。また、一対のロック片１８の撓みを規制する規制片４７を１つで賄うことができる。更に、一対のロック片１８を、収容室１６内のサブコネクタ２０、３０を互いに隔離する壁部１７の前端部に形成したことにより、特別に収容室１６内のスペースを費やすことなく、ロック片１８を複数のサブコネクタ２０、３０間に隣接して形成できる。
【００２４】
＜他の実施形態＞
本発明は上述の記載および図面によって説明した実施形態に限定されるものではなく、例えば次のような実施形態も本発明の技術的範囲に含まれ、さらに、以下の記載のもの以外にも要旨を逸脱しない範囲内で種々変更して実施することができる。
（１）雄コネクタも、複数のサブコネクタを含んだフレームコネクタにしてもよい。
（２）雄コネクタにロック片を形成して、雌コネクタに規制片を設けてもよい。
（３）ロック片は必ずしも複数のサブコネクタ間に一対に設けなくてもよく、各々のサブコネクタの外周部と係合するように、別々に形成してもよい。
【図面の簡単な説明】
【００２５】
【図１】本実施形態によるフレームの横断面図である。
【図２】本実施形態によるフレームの縦断面図である。
【図３】本実施形態による一方のサブコネクタの側面図である。
【図４】本実施形態による他方のサブコネクタの側面図である。
【図５】フレームにサブコネクタを収容するところを示す横断面図である。
【図６】本実施形態による雌コネクタの前方から見た図である。
【図７】雌コネクタの後方から見た図である。
【図８】本実施形態による雄コネクタの前方から見た図である。
【図９】雌雄のコネクタを嵌合させるところを示す縦断面図である。
【図１０】図９の横断面図である。
【図１１】本実施形態によるコネクタ装置の横断面図である。
【符号の説明】
【００２６】
１…コネクタ装置
１０…雌コネクタ
１１…フレーム
１６…収容室
１６ａ、１６ｂ…小収容室
１７…壁部
１８…ロック片
１８ｂ…撓み空間
２０、３０…サブコネクタ
２７、３７…ロック突部
４０…雄コネクタ
４１…ハウジング
４７…規制片
【図１】
2005071806.tif 000003
【図２】
2005071806.tif 000004
【図３】
2005071806.tif 000005
【図４】
2005071806.tif 000006
【図５】
2005071806.tif 000007
【図６】
2005071806.tif 000008
【図７】
2005071806.tif 000009
【図８】
2005071806.tif 000010
【図９】
2005071806.tif 000011
【図１０】
2005071806.tif 000012
【図１１】
2005071806.tif 000013